(57)【要約】【課題】水捌けが極めて良く、降雨時にも泥濘んだりすることがなく、凍結もより防止され、多少の雨ならプレイも可能な全天候型のグラウンド構造を提供する。【解決手段】本発明のグラウンド構造１は、グラウンドの表層２を構成する表層材として、樹皮を解して形成した繊維体３が使用されている。また、本発明のグラウンド構造１の中層５または／および下層６に複数の貯留管が配されて、中層５または／および下層６は貯留層として機能するように構成されている。【選択図】　図１
2004143736.tif 000002
【特許請求の範囲】
【請求項１】
グラウンドの表層を構成する表層材として、樹皮を解して形成した繊維体が使用されていることを特徴とするグラウンド構造。
【請求項２】
前記表層の上面には、化粧スクリーニングス層が構成されている請求項１に記載のグラウンド構造。
【請求項３】
前記化粧スクリーニングス層は、厚さ約１０ｍｍである請求項２に記載のグラウンド構造。
【請求項４】
前記グラウンドの中層または／および下層には複数の貯留管が配されて、前記中層または／および下層は貯留層として機能するように構成されている請求項１ないし３のいずれかに記載のグラウンド構造。
【請求項５】
グラウンドの中層または／および下層に複数の貯留管が配されて、前記中層または／および下層は貯留層として機能するように構成されていることを特徴とするグラウンド構造。
【発明の詳細な説明】
【０００１】
【発明の属する技術分野】
本発明は、運動場や競技場等の運動施設、または駐車場としても使用して好適なグラウンド構造に関する。
【０００２】
【従来の技術】
運動場や競技場等運動施設のグラウンドとしては、第１に水捌けが良く、降雨により泥濘んだり、凍結もより防止され、降雨後も速やかにグラウンド表面が使用可能な状態に回復することが望ましい。そして、そのような理想的なグラウンドを構成するために、表層を構成する表層材として、例えばアスファルト系、ポリウレタン系、あるいは合成ゴム系表層材を使用したグラウンド構造が種々提案されている。
【０００３】
【発明が解決しようとする課題】
本願発明者は、上記のような水捌けが良いグラウンドの新規な構造を提案するものであり、すなわち、本発明の主たる課題は、水捌けが極めて良く、降雨時にも泥濘んだりすることがなく、凍結もより防止され、多少の雨ならプレイも可能な全天候型のグラウンド構造を提供することにある。
【０００４】
【課題を解決するための手段】
上記課題を解決するものは、グラウンドの表層を構成する表層材として、樹皮を解して形成した繊維体が使用されていることを特徴とするグラウンド構造である。
【０００５】
前記表層の上面には、化粧スクリーニングス層が構成されていることが好ましい。前記化粧スクリーニングス層は、厚さ約１０ｍｍであることが好ましい。
【０００６】
また、上記課題を解決するものは、グラウンドの中層または／および下層に複数の貯留管が配されて、前記中層または／および下層は貯留層として機能するように構成されていることを特徴とするグラウンド構造である。
【０００７】
【発明の実施の形態】
以下、本発明のグラウンド構造を、図１ないし図４に示した一実施例を用いて説明する。なお、図１は本発明のグラウンド構造の一実施例の内部構造を示す縦断面図であり、図２は図１のグラウンド構造の平面図であり表面の勾配状況等を説明するための説明図であり、図３は図１のグラウンド構造内部における貯留管の配設状況を説明するための説明図であり、図４は図１のグラウンド構造に使用されている貯留管の斜視図である。
【０００８】
この実施例のグラウンド構造１は、図１に示すように、表層２、化粧スクリーニングス層４、中層５、下層６、基盤層８とからなり、表層２を構成する表層材として、樹皮を解して形成した繊維体３が使用されている。また、図３に示すように、グラウンドの下層６に複数の貯留管７が配されて、下層６が貯留層として機能するように構成されている。以下、各構成について順次詳述する。
【０００９】
表層２は、硬さと強度を保持する機能と、利用し易く美観を保持する機能とを併せ持つ層であり、この実施例の表層２は混合土にて構成されている。
【００１０】
具体的には、この実施例の表層２は、特徴的表層材として樹皮を解して形成した繊維体３を約３０重量％程度含有している。なお、本発明のグラウンド構造の表層２における繊維体３の含有量は、３０重量％に限定されるものではなく、繊維体３を含有するものは広く本発明の範疇に包含される。
【００１１】
繊維体３の樹皮としては、桧と杉の樹皮が好適に使用でき、表層２がこのような繊維体３を大量に含有することにより、降雨時にも泥濘んだりすることがなく、多少の雨ならプレイも可能で全天候型のグラウンドとなる。また、表層２に繊維体が多数存在することにより、表層２が適度な水分と塩分を保持するため、凍結温度が氷点下以下に低下し、霜柱等が発生せず凍結しがたいグラウンドとなる。さらに、樹皮には抗菌作用があるため、雑菌が少なく安全なグラウンドとなると共に雑草の繁殖も抑制される。さらに、駐車場として使用しても轍ができ難く、多少、轍ができてもブラシで軽く均す程度で轍を消去でき、運動場と駐車場とを兼務可能なグラウンドとなる。さらに、繊維体が多いため、泥が靴に付着することが少ないグラウンドとなる。
【００１２】
その他、表層２を構成する混合土の材料としては、おが屑やチップ材、粘土、オイルサンド、または塩や苦汁が使用されている。
【００１３】
おが屑やチップ材は、表層２を必要以上に硬化させない機能と、塩を吸収して塩分を表層２にある程度保持させる機能とを併せ持つ。おが屑やチップ材の含有量としては、１０〜２０重量％程度が好適である。
【００１４】
粘土は土壌としての基材となるものであり、他の混合土の材料を混ぜ合わせる機能と、透水性を抑制する機能とを有する。粘土の含有量としては、３０〜６０重量％程度が好適である。
【００１５】
オイルサンドは、その油成分にて表層２の下部に膜を形成し、後述する中層５または下層６から表層２への水分の上昇を抑制して表層２が凍結することをより防止するよう機能する。なお、オイルサンドの含有量としては、１０〜４０重量％程度が好適である。
【００１６】
塩や苦汁は、雑草の発生防止、凍結防止（防霜）および防塵のために添加されるものであり、この実施例では、平米１．３ｋｇの割合で散布または混合されている。
【００１７】
そして、この実施例の表層２は、転圧前は７０〜１００ｍｍ程度の厚みで敷設され、転圧後に５０〜８０ｍｍ程度の厚みとなるように構成されている。
【００１８】
表層２の上面には、厚さ約１０ｍｍ程度の化粧スクリーニングス層４が構成され、表面処理がなされている。化粧スクリーニングスによる表面処理は、厚さ約３ｍｍ程度が一般的であるが、この実施例のグラウンド構造１では、厚さ約１０ｍｍ程度の化粧スクリーニングス層４が構成され、透水性の抑制、表層２の塩分の蒸発の抑制および表面硬化がなされている。さらに、表層２の上部にて、化粧スクリーニングス層４が層ごと摺動するため、プレイヤーの脚部への負担を軽減する機能も奏する。なお、駐車場として構成する場合は、この化粧スクリーニングス層は特に必要ではない。
【００１９】
化粧スクリーニングス層４を構成するスクリーニングスとしては、例えば、砕石スクリーニングス、石灰スクリーニングスまたは緑色スクリーニングスなどが好適に使用できるが、この実施例では、石粉（約７０重量％）とオイルサンド（３０重量％）からなる砕石スクリーニングスが使用されている。なお、化粧スクリーニングス層４にも、オイルサンドが含有されることにより、化粧スクリーニングス層４の下部付近に膜を形成し、表層２の湿気を適度に保持する機能を奏する。
【００２０】
中層５は、浸透性および保水性を有し、クッション層として機能する層であり、この実施例では、粒径４０ｍｍ以下の選別材（現地の土壌を振り分けた砕石）を用いて造成されている。また、中層５は雨水の浸透によって表層２の微粒子が沈降してくるのを止めるフィルター層としても機能するため、火山砂利なとの多孔質材料が好適に使用できる。
【００２１】
下層６は、後述する基盤層８の支持力を強化する機能を有する層であり、この実施例では、粒径１００ｍｍ以下の選別材（現地の土壌を振り分けた砕石など）を用いて造成されている。また、粒径１００ｍｍ以下の選別材としては、産業廃棄物として処理されるコンクリート材の使用も可能であり、これによりリサイクルに資することができる。また、この実施例のグラウンド構造１は、表層材、中層材、下層材として、極力現地の土壌を使用すべくサイズ選別を行って使用しており、他より搬入する従来の方法に比して極めて安価にクラウンドを構成できる。
【００２２】
なお、下層６には、図３に示すように、複数の貯留管７が配されて下層６が貯留層として機能するように構成されている。具体的には、この実施例の貯留管７としては、図４に示すような、多数の孔７ａを有した管状体（有孔塩ビ管）が使用されている。ただし、貯留管７はこのような構造のものに限定されず、管内に雨水を蓄水可能なものであればどのようなものでもよく、例えば、暗渠を構成する透水コンクリート管、プラスチックネットパイプ、集水構造樹脂パイプなどが使用されてもよい。
【００２３】
この実施例の貯留管７は、図３に示すように、長手方向に９本（１９２ｍ×９）、長手方向に直交する方向に１６本（９２ｍ×１６）配設されており、貯留管７の両端は、土手９の外側部位に開口部１３をそれぞれ有している。また、貯留管７は、開口部１３からグラウンド１０の内側方向に向かって下降するように（勾配０．２％）配されており、下層６内部付近で貯留される構造となっている。ただし、貯留管の配管構造は、外側から中央付近に向かって徐々に下降するものに限定されず、貯留される構造であればどのような配管構造でもよく、例えば、開口部１３から急激に降下して略水平に配された貯留管内で貯留するような構造でもよい。
【００２４】
そして、貯留管７には、開口部１３からの雨水の流入に加え、下層６を構成する砕石がフィルター材として機能して、貯留管７に設けられた多数の孔７ａから水が流入し、貯留されるように構成されている。なお、この実施例のグラウンド構造１は、化粧スクリーニング層３が比較的厚く形成されており、従来のグラウンド構造に比して雨水が表層２より浸透しないため、雨水の多くは開口部１３を介して貯留管７内に流入する。よって、雨水が表層２に浸透することが抑制されることからも降雨後の回復が早いグラウンド構造となっている。
【００２５】
また、この実施例のグラウンド構造１は下層６が貯留層となるように、主として下層６に貯留管７が配されているが、これに限定されものではなく、中層に貯留管が配されたもの、中層と下層の双方に貯留管が配されたものも本発明の範疇に包含される。さらに、この実施例のグラウンド構造１は、図３には示すように平面視で縦横に貯留管７が配されているが、貯留管の配管構造はこれに限定されるものではなく、貯留管がグラウンド構造内部に配設されて貯留可能な状態で多数配管されていればどのように配されたものも本発明の範疇に包含される。
【００２６】
このように、本発明のグラウンド構造は、下層または／および中層を貯留層として機能するように構成されているため、多雨季の都市洪水の防止、大震災時あるいは渇水時の生活用水の確保、火災時の消防水利の確保などを大容量のグラウンド内部が担うことができる。
【００２７】
基盤層８は、上述したすべての舗装層を支持するための層であり、粘土層により構成されている。そして、基盤層８が水を浸透させない粘土層で構成されるため、雨水などは主として基盤層８の上層を構成する中層５および下層６に貯留される。
【００２８】
また、この実施例のグラウンド構造１は、図２に示すような平面形態を有している。具体的には、グラウンド構造１は、矩形の土手９内に１００ｍｍ×２００ｍｍのグラウンド１０を有しており、グラウンド１０の外方（四方）には遊歩道（ジョギングコース）１１が構成されている。そして、遊歩道１１から階段１２を介してグラウンド１０に出入り可能に構成されている。なお、本発明のグラウンド構造は、四方に遊歩道を有するものに限定されず、グラウンド１０の四方は例えばＵ字溝で囲まれる等どのような構造に構成されていてもよい。
【００２９】
グラウンド１０は、図２中の矢印に示すように、中央部から外方に向かって僅かに下り勾配（０．５％）となるように傾斜して形成されている。他方、遊歩道１１も、図２中の矢印に示すように、内側に向かって若干傾斜して形成されている。
【００３０】
そして、これらの構造により、グラウンド１０に降り注いだ雨水は、グラウンド１０を図２中矢印方向（外側方向）に向かって流れ遊歩道１１に流出する。この時、遊歩道１１も図２中内側（図２中矢印方向）に向かって下って傾斜しているため、雨水は土手９の外側付近に集まる。
【００３１】
土手９の外側付近には、前述したように貯留管７の開口部１３が設けられているため、雨水は、開口部１３（図３中矢印の先端が指す部位にそれぞれ設けられている）より貯留管７内に流入して、主として下層６付近に設けられた貯留管７内に蓄水される。貯留管７内に蓄水された雨水を使用する場合は、図１に示した排水口１４から水を流出させ使用することができる。
【００３２】
【発明の効果】
請求項１に記載した発明によれば、水捌けが極めて良く、降雨時にも泥濘んだりすることがなく、凍結もより防止され、多少の雨ならプレイも可能な全天候型のグラウンド構造となることに加え、雑草の繁殖が抑制でき、運動場と駐車場とを兼務でき、泥が靴に付着することが少ないグラウンドとなる。
請求項２に記載した発明によれば、請求項１の効果に加え、脚部への負担を軽減したグラウンド構造となる。
請求項３に記載した発明によれば、より脚部への負担を軽減したグラウンド構造となる。
請求項４および５に記載した発明によれば、水捌けが極めて良く、降雨時にも泥濘んだりすることがなく、多少の雨ならプレイも可能な全天候型のグラウンド構造となることに加え、多雨季の都市洪水の防止、大震災時あるいは渇水時の生活用水の確保、火災時の消防水利の確保などを大容量のグラウンド内部が担うことができる。
【図面の簡単な説明】
【図１】本発明のグラウンド構造の一実施例の内部構造を示す縦断面図である。
【図２】図１のグラウンド構造の平面図であり、勾配状況等を説明するための説明図である。
【図３】図１のグラウンド構造内部における貯留管の配設状況を説明するための説明図である。
【図４】図１のグラウンド構造に使用されている貯留管の斜視図である。
【符号の説明】
１　グラウンド構造
２　表層
３　樹皮を解して形成した繊維体
４　化粧スクリーニングス層
５　中層
６　下層
７　貯留管
７ａ　孔
８　基盤層
９　土手
１０　グラウンド
１１　遊歩道
１２　階段
１３　開口部
１４　排水口
【図１】
2004143736.tif 000003
【図２】
2004143736.tif 000004
【図３】
2004143736.tif 000005
【図４】
2004143736.tif 000006